(57)【要約】【課題】受信状態を示す複数の通信品質要素を従来よりも狭い表示領域によって表現することが出来る無線通信装置を提供することを目的とする。【解決手段】無線通信装置は、外部と信号を送受信する通信部と、表示部と、前記通信部の受信信号の信号強度及び通信速度を矩形の形状または傾き角度によって表現し、前記矩形を前記表示部に表示させる制御部を具備するという手段を採用する。【選択図】図１
2009182585.tif 000002
【特許請求の範囲】
【請求項１】
外部と信号を送受信する通信部と、
表示部と、
前記通信部の受信信号の信号強度及び通信速度を矩形の形状または傾き角度によって表現し、前記矩形を前記表示部に表示させる制御部を具備することを特徴とする無線通信装置。
【請求項２】
前記制御部は、前記矩形において第１の色が占める領域（第１の領域）の幅、前記矩形において前記第１の領域以外の領域（第２の領域）に配色された第２の色または前記第２の領域の前記第２の色の白抜きの度合いによって前記受信信号の信号強度及び通信速度以外の通信品質要素（第３の通信品質要素）を表現し、前記矩形を表示部に表示させることを特徴とする請求項１記載の無線通信装置。
【請求項３】
前記第３の通信品質要素は、エラー率を含むことを特徴とする請求項２記載の無線通信装置。
【請求項４】
前記第３の通信品質要素は、Ｓ／Ｎ比を含むことを特徴とする請求項２または３記載の無線通信装置。
【請求項５】
前記第３の通信品質要素は、ノイズレベルを含むことを特徴とする請求項２〜４記載のいずれか一項記載の無線通信装置。
【発明の詳細な説明】
【技術分野】
【０００１】
本発明は、無線通信装置に関する。
【背景技術】
【０００２】
一般的に、携帯電話機及びＰＨＳ端末等の携帯端末では、アンテナアイコンと共に複数本の縦長のバーを表示し、受信信号の信号強度に応じてこのバーの本数を変えることによって受信信号の信号強度を表現する。そして、携帯端末において受信状態を表現する他の方法として、例えば、下記特許文献１には、制御部が、アンテナの受信状態（受信信号の信号強度、エラーレート及びＳ／Ｎ比（Signal to  Noise Ratio）等）を判定し、判定した結果に基づいて表示部に画面色を変更させたり、または点滅させることによって受信状態のレベルを表現する技術が開示されている。
また、パーソナルコンピュータに装着される無線通信装置では、受信状態を表現する為に、パーソナルコンピュータのディスプレイに、受信信号の信号強度及び通信速度それぞれに対応する２本のバーを表示し、このバーの長さを変えることによって受信信号の信号強度及び通信速度を表現する方法を採用している。
【特許文献１】特表２００２−５１１１９号公報
【発明の開示】
【発明が解決しようとする課題】
【０００３】
ところで、上記従来技術では、携帯端末において、受信信号の信号強度をバーの本数によって表現したり、または受信信号の信号強度、エラーレート及びＳ／Ｎ比等から総合的に判断した結果を表示部の画面色の変更または表示部の点滅によって表現したりしているが、受信信号の信号強度、通信速度及びＳ／Ｎ比等の受信状態を示す様々な通信品質要素それぞれを表現していない為、受信状態を詳細に表現することが出来ていなかった。また、上記パーソナルコンピュータに装着される無線通信装置では、受信信号の信号強度及び通信速度を複数のバーによって表現しているが、受信状態を示す通信品質要素の数に応じてバーの数を増やす必要がある為、携帯端末等の表示領域の狭い装置への技術の転用が難しい。
【０００４】
本発明は、上述した事情を鑑みたものであり、受信状態を示す複数の通信品質要素を従来よりも狭い表示領域によって表現することが出来る無線通信装置を提供することを目的とする。
【課題を解決するための手段】
【０００５】
上記目的を達成するために、本発明では、無線通信装置に係る第１の解決手段として、外部と信号を送受信する通信部と、表示部と、前記通信部の受信信号の信号強度及び通信速度を矩形の形状または傾き角度によって表現し、前記矩形を前記表示部に表示させる制御部を具備するという手段を採用する。
【０００６】
本発明では、無線通信装置に係る第２の解決手段として、上記第１の解決手段において、記制御部は、前記矩形において第１の色が占める領域（第１の領域）の幅、前記矩形において前記第１の領域以外の領域（第２の領域）に配色された第２の色または前記第２の領域の前記第２の色の白抜きの度合いによって前記受信信号の信号強度及び通信速度以外の通信品質要素（第３の通信品質要素）を表現し、前記矩形を表示部に表示させるという手段を採用する。
【０００７】
本発明では、無線通信装置に係る第３の解決手段として、上記第２の解決手段において、前記第３の通信品質要素は、エラー率を含むという手段を採用する。
【０００８】
本発明では、無線通信装置に係る第４の解決手段として、上記第２または第３の解決手段において、前記第３の通信品質要素は、Ｓ／Ｎ比を含むという手段を採用する。
【０００９】
本発明では、無線通信装置に係る第５の解決手段として、上記第２〜第４いずれかの解決手段において、前記第３の通信品質要素は、ノイズレベルを含むという手段を採用する。
【発明の効果】
【００１０】
本発明によれば、無線通信装置において制御部が、前記通信部の受信信号の信号強度及び通信速度を矩形の形状またはによって表現し、前記矩形を前記表示部に表示させる為、受信状態を示す複数の通信品質要素を従来よりも狭い表示領域によって表現することが出来る。
【発明を実施するための最良の形態】
【００１１】
以下、図面を参照して、本発明の一実施形態について説明する。本実施形態は、無線通信装置の１つであるＰＨＳ（Personal Handy-phone System）端末に関する。
図１は本実施形態に係るＰＨＳ端末Ａの機能構成を示す機能ブロック図である。ＰＨＳ端末Ａの機能構成を、図１を参照して説明する。ＰＨＳ端末Ａは、図１に示すように、通信部１、操作部２、表示部３、制御部４から構成される。
【００１２】
通信部１は、制御部４による指示の下、基地局と音声信号、データ信号及び制御信号等の各種信号を送受信する。
操作部２は、テンキー、方向キー、及び各種機能キー等の各種操作キーから構成されており、これらの操作キーに対するユーザの操作指示を受け付けて制御部４に出力する。
表示部３は、例えば液晶ディスプレイまたは有機ＥＬ（Electronic Luminescent）ディスプレイ等であり、制御部４から入力される画像信号に基づいて画像や文字からなる各種画像を表示する。
【００１３】
制御部４は、ＣＰＵ（Central Processing Unit）、ＲＯＭ（Read Only Memory）及びＲＡＭ（Random Access Memory）から構成される内部メモリ並びに上記通信部１、操作部２、表示部３と信号の入出力をそれぞれ行うインタフェース回路等から構成されており、上記ＲＯＭに記憶された制御プログラム、通信部１が受信する各種信号及び操作部２が受け付ける操作指示に基づいてＰＨＳ端末Ａの全体動作を制御する。
【００１４】
なお、上記ＲＯＭに記憶されている制御プログラムは、通信状態表示プログラムを備えており、制御部４はこの通信状態表示プログラムに基づいて信号の受信状態を表示部３に表示させる。なお、この制御部４の制御処理の詳細については、以下にＰＨＳ端末Ａの動作として説明する。
【００１５】
次に、上記構成のＰＨＳ端末Ａの動作について、図２を参照して詳しく説明する。図２は、本実施形態に係るＰＨＳ端末Ａの動作を示すフローチャートである。
制御部４は、通信部１が基地局から制御チャネルを受信したか否か判定し（ステップＳ１）、ステップＳ１において『ＮＯ』と判定した場合には、すなわち通信部１が制御チャネルを受信していない場合には、通信部１が制御チャネルを受信するまで待機する。 
【００１６】
制御部４は、ステップＳ１において『ＹＥＳ』と判定した場合には、すなわち通信部１が制御チャネルを受信した場合には、通信部１が受信した制御チャネルに基づいて受信信号の信号強度、通信速度、ノイズレベル、Ｓ／Ｎ比及びビットエラー率を検出し（ステップＳ２）、この受信信号の信号強度、通信速度、ノイズレベル、Ｓ／Ｎ比及びビットエラー率を通知する為の受信状態表示バーを表示部３に表示させる（ステップＳ３）。
【００１７】
ステップＳ３において表示部３が表示する受信状態表示バーについて、図３を参照して詳細に説明する。図３は、ＰＨＳ端末Ａの表示部３が表示する受信状態表示バーの一例を示す図である。
受信状態表示バーは、矩形をしており、矩形の横方向の長さによって受信信号の信号強度を示し、矩形の縦方向の長さによって通信速度を示す。そして、受信状態表示バーは、その左端から右方向に延びる灰色の領域の横方向の長さによってノイズレベルを示す。また、受信状態表示バーは、その左端から上記灰色の領域の右端までの領域の色によってＳ／Ｎ比を示す。制御部４は、Ｓ／Ｎ比が十分に高い場合に、Ｓ／Ｎ比を示す領域を緑色し、Ｓ／Ｎ比が低くなるに従ってＳ／Ｎ比を示す領域の色を黄色、橙色、赤色という順番に変化させる。
【００１８】
さらに、受信状態表示バーは、Ｓ／Ｎ比を示す領域の色の濃さをビットエラー率に応じて変化させることによってビットエラー率を表現する。具体的には、制御部４が、ビットエラー率からＳ／Ｎ比を示す領域の色を白抜きする面積率を求め、この面積率に基づいてＳ／Ｎ比を示す領域の色を離散的にドット単位で白抜きする。例えば、制御部４は、以下式（１）に基づいて、ビットエラー率から白抜きする面積率を求める。
白抜きする面積率 ＝ （ｌｏｇ（ビットエラー率＋０．０１）＋２）／３×１００…（１）
【００１９】
なお、制御部４は、ビットエラー率が０．０１％未満である場合には、ビットエラー率を０％として白抜きする面積率を求める。図４は、上記（1）式に基づいて制御部４が算出する各ビットエラー率毎の白抜きする面積率を示す図である。この図４に示すようにビットエラー率が０．００％である場合に、白抜きする面積率は０％となり、ビットエラー率が上昇するに従って白抜きする面積率も上昇する。そして、ビットエラー率が９．９９％になると、白抜きする面積率は１００％になる。
【００２０】
次に、受信状態表示バーによる受信信号の信号強度、通信速度、ノイズレベル、Ｓ／Ｎ比及びビットエラー率の表現の具体例について、図５を参照して詳しく説明する。図５は、通信状態に応じて受信信号の信号強度、通信速度、ノイズレベル、Ｓ／Ｎ比及びビットエラー率を表現した受信状態表示バーの例を示す図である。
図５の（ａ）は、ＰＨＳ端末Ａの通信状態が、強電界、データ通信待ち状態（非データ通信中）、低ノイズ、Ｓ／Ｎ比極高及びビットエラー無である場合の受信状態表示バーを示している。
【００２１】
図５の（ａ）の受信状態表示バーは、強電界である為に受信信号の信号強度を示す横方向の長さは十分に長く、データ通信を行っていない為に通信速度示す縦方向の長さは最も短い長さになり、低ノイズである為にノイズレベルを示す灰色の領域の幅は十分に短くなり、Ｓ／Ｎ比極高である為にＳ／Ｎ比を示す領域の色は緑色になり、ビットエラー無すなわちビットエラー率が０％である為に、Ｓ／Ｎ比を示す領域を白抜きする面積率は０％になる。
【００２２】
図５の（ｂ）は、ＰＨＳ端末Ａの通信状態が、強電界、高速データ通信中、低ノイズ、Ｓ／Ｎ比高及びビットエラー無である場合の受信状態表示バーを示している。図５の（ｂ）における通信状態は、図５の（ａ）と同様に強電界、低ノイズ及びビットエラー無である為、図５の（ｂ）の受信状態表示バーにおいて、受信信号の信号強度、ノイズレベル及びビットエラー率は、図５の（ａ）と同様の表現になる。また、この受信状態表示バーは、高速データ通信中である為に縦方向の長さは十分に長くなり、Ｓ／Ｎ比高である為にＳ／Ｎ比を示す領域の色は黄色になる。
【００２３】
図５の（ｃ）は、ＰＨＳ端末Ａの通信状態が、中電界、データ通信待ち状態（非データ通信中）、中ノイズ、Ｓ／Ｎ比中及びビットエラー少（ビットエラー率０．０１％）である場合の受信状態表示バーを示している。図５の（ｃ）の受信状態表示バーは、中電界である為に横方向の長さは中位になり、データ通信を行っていない為に縦方向の長さは最も短い長さになり、中ノイズである為に灰色の領域の幅は中位になり、Ｓ／Ｎ比中である為にＳ／Ｎ比を示す領域の色は橙色になり、ビットエラー率が０．１０％である為にＳ／Ｎ比を示す領域を白抜きする面積率は３４.７％になる。
【００２４】
図５の（ｄ）は、ＰＨＳ端末Ａの通信状態が、弱電界、低速データ通信中、高ノイズ、Ｓ／Ｎ比低及びビットエラー無である場合の受信状態表示バーを示している。図５の（ｄ）の受信状態表示バーは、弱電界である為に横方向の長さは十分に短くなり、低速データ通信中である為に縦方向の長さは中位になり、高ノイズである為に灰色の領域の幅は十分に長くなり、Ｓ／Ｎ比低である為にＳ／Ｎ比を示す領域の色は赤色になり、ビットエラー無すなわちビットエラー率が０％である為に、Ｓ／Ｎ比を示す領域を白抜きする面積率は０％になる。
【００２５】
図５の（ｅ）は、ＰＨＳ端末Ａの通信状態が、弱電界、データ通信待ち状態（非データ通信中）、高ノイズ、Ｓ／Ｎ比低及びビットエラー無である場合の受信状態表示バーを示している。図５の（ｅ）における通信状態は、図５の（ｄ）と同様に弱電界、高ノイズ、Ｓ／Ｎ比低及びビットエラー無である為、図５の（ｅ）の受信状態表示バーにおいて、受信信号の信号強度、ノイズレベル、Ｓ／Ｎ及びビットエラー率は、図５の（ｄ）と同様の表現になる。また、この受信状態表示バーは、データ通信を行っていない為に縦方向の長さは最も短い長さになる。
【００２６】
図５の（ｆ）は、ＰＨＳ端末Ａの通信状態が、圏外状態である場合の受信状態表示バーを示している。図５の（ｆ）の受信状態表示バーは、受信信号の信号強度を示す横方向の長さは最も短い長さになり、通信速度を示す縦方向の長さは最も短い長さになり、ノイズレベルを示す灰色の領域の幅は受信信号の信号強度を示す横方向の長さと同じになり、Ｓ／Ｎ比及びビットレート率を表現する灰色の領域以外の領域は無くなる。
【００２７】
以上説明したように、ＰＨＳ端末Ａにおいて、制御部４が、受信信号の信号強度、通信速度、ノイズレベル、Ｓ／Ｎ比及びビットエラー率を、複数の図形を使用せずに１つの受信状態表示バーによってのみ表現する為、受信状態を示す複数の通信品質要素を従来よりも狭い表示領域によって表現することが出来る。
また、制御部４は、図４に示すように少しのビットエラー率の上昇でも、Ｓ／Ｎ比を示す領域の色を白抜きする面積率を大幅に上昇させる為、ビットエラー率が小さい場合でも、ビットエラー率を表現するＳ／Ｎ比を示す領域の色の白抜きを目立たせることが出来る。
【００２８】
以上、本発明の一実施形態について説明したが、本発明は上記実施形態に限定されることなく、例えば以下のような変形が考えられる。
（１）上記実施形態では、受信信号の信号強度及び通信速度を受信状態表示バーの横方向及び縦方向の長さによって表現したが、本発明はこれに限定されない。
例えば、受信信号の信号強度及び通信速度を、受信状態表示バーの右端を中心軸として受信状態表示バーを回転させるまた、受信状態表示バーの中心部を中心軸として回転させることによって生じる受信状態表示バーの傾き角度によって表現してもよい。
【００２９】
（２）上記実施形態では、Ｓ／Ｎ比を、受信状態表示バーのＳ／Ｎ比を示す領域に緑色、黄色、橙色及び赤色のいずれかの色を配色することによって表現したが、本発明はこれに限定されない。
例えば、青色、青紫色、赤紫色及び赤色等の上記緑色、黄色、橙色及び赤色以外の色の組み合わせによってＳ／Ｎ比を表現するようにしてもよい。
【００３０】
（３）上記実施形態では、制御部４は、ビットエラー率に基づいて白抜きする面積率を算出し、この面積率に基づいてＳ／Ｎ比を示す領域の色へ離散的に白抜きドットを配置することで生じる色の濃さによってビットエラー率を表現したが、本発明はこれに限定されない。
例えば、制御部４は、白抜きする面積率に基づいて、白抜きドットの集合によって構成される四角形や円形を、Ｓ／Ｎ比を示す領域の色に離散的に配置するようにしてもよい。
【００３１】
（４）上記実施形態では、灰色の領域の幅によってノイズレベルを表現し、灰色の領域以外の領域の色によってＳ／Ｎ比を表現し、灰色の領域以外の領域の色を白抜きした面積率によってビットエラー率を表現したが、本発明はこれに限定されない。
受信状態表示バーにおけるノイズレベル、Ｓ／Ｎ比及びビットエラー率それぞれの表現方法を入れ替えてもよい。例えば、灰色の領域の幅によってビットエラー率を表現し、灰色の領域以外の領域の色によってノイズレベルを表現し、灰色の領域以外の領域の色を白抜きした面積率によってＳ／Ｎ比を表現するようにしてもよい。
【００３２】
（５）上記実施形態では、矩形の受信状態表示バーによって、受信信号の信号強度、通信速度、ノイズレベル、Ｓ／Ｎ比及びビットエラー率を表現したが、本発明はこれに限定されない。
例えば、矩形以外の筒状、螺旋状または渦状の図形によって受信信号の信号強度、通信速度、ノイズレベル、Ｓ／Ｎ比及びビットエラー率を表現するようにしてもよい。
（６）上記実施形態では、制御部４が制御チャネルに基づいてビットエラー率を検出し、このビットエラー率を受信状態表示バーに表現させたが、本発明はこれに限定されない。
例えば、ビットエラー率以外のフレームエラー率、またはパケットエラー率等のエラー率を受信状態表示バーに表現させてもよい。
【図面の簡単な説明】
【００３３】
【図１】本発明の一実施形態に係るＰＨＳ端末Ａの機能構成を示す機能ブロック図である。
【図２】本発明の一実施形態に係るＰＨＳ端末Ａの動作を示すフローチャートである。
【図３】本発明の一実施形態に係るＰＨＳ端末Ａの表示部３が表示する受信状態表示バーの一例を示す図である。
【図４】本発明の一実施形態に係るＰＨＳ端末Ａの制御部４が算出する各ビットエラー率毎の白抜き面積率を示す図である。
【図５】本発明の一実施形態に係るＰＨＳ端末Ａの通信状態に応じて受信信号の信号強度、通信速度、ノイズレベル、Ｓ／Ｎ比及びビットエラー率を受信状態表示バーが表現した例を示す図である。
【符号の説明】
【００３４】
Ａ…ＰＨＳ端末、１…通信部、２…操作部、３…表示部、４…制御部
【図１】
2009182585.tif 000003
【図２】
2009182585.tif 000004
【図３】
2009182585.tif 000005
【図４】
2009182585.tif 000006
【図５】
2009182585.tif 000007